(57)【要約】【課題】堤高が高い大規模な砂防堰堤に適用可能な鋼製の透過型堰堤を提供する。【解決手段】金属製材料からなる複数の柱状部材５，６を互いに縦横方向に交差されてなる金属製砂防堰堤本体部２と、土砂流等による外力が金属製砂防堰堤本体部２に付加された場合に、金属製砂防堰堤１の支持用基礎部４とを有してなる透過型砂防堰堤であって、前記金属製砂防堰堤本体部２は、上下に分離された上部堰堤本体部２ａと下部堰堤本体部２ｂとで構成されると共に、前記支持用基礎部４は、前記上部堰堤本体部２ａを支持する両側の袖部４ａ，４ａと、前記下部堰堤本体部２ｂを支持する底部４ｂとを有し、前記上部堰堤本体部２ａを構成する複数の柱状部材５，６のうち、両端の柱状部材５ａ，５ａが前記袖部４ａ，４ａで固定支持される一方、前記下部堰堤本体部２ｂを構成する柱状部材５，６のうち、縦方向の柱状部材５の下端部５ｂが前記底部４ｂに固定支持されてなる。【選択図】図１
2011214298.tif 000002
【特許請求の範囲】
【請求項１】
金属製材料からなる複数の柱状部材を互いに縦横方向に交差されてなる金属製砂防堰堤本体部と、土砂流等による外力がこの金属製砂防堰堤本体部に付加された場合に、当該外力を受け止めるための金属製砂防堰堤の支持用基礎部とを有してなる透過型砂防堰堤であって、
前記金属製砂防堰堤本体部は、上下に二つに分離された上部堰堤本体部と下部堰堤本体部とで構成されると共に、
前記支持用基礎部は、前記上部堰堤本体部を支持する両側の袖部と、前記下部堰堤本体部を支持する底部とを有し、
前記上部堰堤本体部を構成する複数の柱状部材のうち、少なくとも両端の縦方向の柱状部材が前記袖部で固定支持される一方、
前記下部堰堤本体部を構成する複数の柱状部材のうち、少なくとも縦方向の柱状部材の下端部が前記底部に固定支持されてなることを特徴とする透過型砂防堰堤。
【請求項２】
前記下部堰堤本体部が、前記堰堤下流側の斜め下方から支持された斜め支持部を有し、この斜め支持部の上端部が前記下部堰堤本体部を構成する堰堤下流側の縦方向の柱状部材に接合される一方、その下端部が前記支持用基礎部に固定支持されてなることを特徴とする請求項１に記載の透過型砂防堰堤。
【請求項３】
前記斜め支持部が、前記堰堤下流側の下方から斜めに配列された複数の斜め方向柱状部材からなり、最外部の斜め方向柱状部材の上面側に保護部材を備えてなることを特徴とする請求項２に記載の透過型砂防堰堤。
【請求項４】
前記上部堰堤本体部と前記下部堰堤本体部とが連結されてなることを特徴とする請求項１乃至３の何れか一つの項に記載の透過型砂防堰堤。
【発明の詳細な説明】
【技術分野】
【０００１】
本発明は、土石流危険渓流において、土砂調整機能を保持しながら、土石流の発生時に
礫や流木を捕捉する透過型砂防堰堤に関し、特に堤高が３０ｍを越える様な大型の透過型砂防堰堤に関するものである。
【背景技術】
【０００２】
格子型堰堤をはじめ、従来例に係る透過型砂防堰堤には土石流対策工として数多くの実績がある。これらの堰堤は、平常時には土砂を下流に供給する一方、土石流発生時には礫や流木を捕捉し、下流での災害を防止する。これは、土石流が発生したとき、その先頭部には巨礫が集まり、絡み合いながら流下して来る性質を利用したものである。
【０００３】
格子型堰堤をはじめとする一般的な鋼製透過型堰堤は、鋼管によって形成された立体格子形状をしており、土石流や土圧による荷重を鋼管部が受け止め、多数の柱で地盤に力を分散させる構造となっている。一方、２００７年に土石流対策技術指針が改定されるまでは、鋼製透過型堰堤の堤高は１５ｍ未満に事実上制限されていた。
【０００４】
この様な透過型堰堤に係る従来例につき、以下添付図１０を参照しながら説明する。図１０は、従来例の透過型砂防堰堤に係り、図（ａ）はその側面図、図（ｂ）は河川下流側からみたその正面図である。
【０００５】
前記従来例に係る透過型堰堤は、河床２５に配置する立体状のフレーム２１を、縦棒状部材２２と横棒状部材２３を河川の横断方向、縦断方向に格子状に架設して、河川の縦断方向に沿う河川上流側を下流側より高くし、その最上流側の川床２５から横棒状部材２３までの高さを巨礫の直径の２〜３倍にすると共に、その高さより上側の横棒状部材２３間隔を巨礫の直径以下にするものである（特許文献１参照）。
【０００６】
その結果、後続流によって、巨礫の直径の２〜３倍より上で捕捉された巨礫群の絡みが破壊されることがなくなるので、巨礫群の絡みの破壊に起因する捕捉された礫や土砂が再流出しなくなる。しかしながら、前記従来例に係る透過型堰堤の構造では、改訂後の土石流対策技術指針に対応して、堤高１５ｍ以上の堰堤にも適用可能と考えられるが、構造上、堤高３０ｍ級の大規模な堰堤には強度的に耐え得ない。
【０００７】
次に、ロープを利用した他の従来例に係る透過型堰堤につき、以下添付図１１を参照しながら説明する。図１１は、他の従来例に係り、土石流防護ネットの実施例の正面図である。
他の従来例に係るこの土石流防護ネット３１は、河川の流れを遮るように張設した主索３２の端部を両岸の側壁にアンカーし、左右に間隔をおいて複数の縦ロープ３６を配し、各縦ロープ３６の上端部を主索３２に連結すると共に下端部を川床ａにアンカーし、主索３２の下方には、上下に間隔をおいて複数の横ロープ３７を張設すると共に、それら横ロープ３７の端部を両岸の側壁ｂにアンカーし、それら横ロープ３７と縦ロープ３６の交差部を結合してネット状にしたものである（特許文献２参照）。
【０００８】
この様な構造による土石流防護ネット３１によれば、当該ネット３１の強度上の限界から、改訂後の土石流対策技術指針に対応して、堤高１５ｍ以上の堰堤に適用することは難しい。
【先行技術文献】
【特許文献】
【０００９】
【特許文献１】特開平７−８２７２５号公報
【特許文献２】特開２００９−２９９３２１号公報
【発明の概要】
【発明が解決しようとする課題】
【００１０】
本発明は、上記背景技術に説明した様な諸問題点を解消するためになしたものであって、その目的は、堤高が高い大規模な砂防堰堤に適用可能な鋼製の透過型堰堤を提供することにある。
【課題を解決するための手段】
【００１１】
上記の目的を達成するための本発明は、以下の構成を備える透過型砂防堰堤からなる。即ち、本発明の請求項１に係る透過型砂防堰堤が採用した手段は、金属製材料からなる複数の柱状部材を互いに縦横方向に交差されてなる金属製砂防堰堤本体部と、土砂流等による外力がこの金属製砂防堰堤本体部に付加された場合に、当該外力を受け止めるための金属製砂防堰堤の支持用基礎部とを有してなる透過型砂防堰堤である。
【００１２】
同時に、前記金属製砂防堰堤本体部は、上下に二つに分離された上部堰堤本体部と下部堰堤本体部とで構成されると共に、前記支持用基礎部は、前記上部堰堤本体部を支持する両側の袖部と、前記下部堰堤本体部を支持する底部とを有し、前記上部堰堤本体部を構成する複数の柱状部材のうち、少なくとも両端の縦方向の柱状部材が前記袖部で固定支持される一方、前記下部堰堤本体部を構成する複数の柱状部材のうち、少なくとも縦方向の柱状部材の下端部が前記底部に固定支持されてなることを特徴とするものである。
【００１３】
本発明の請求項２に係る透過型砂防堰堤が採用した手段は、請求項１に記載の透過型砂防堰堤において、前記下部堰堤本体部が、前記堰堤下流側の斜め下方から支持された斜め支持部を有し、この斜め支持部の上端部が、前記下部堰堤本体部を構成する堰堤下流側の縦方向の柱状部材に接合される一方、その下端部が、前記支持用基礎部に固定支持されてなることを特徴とするものである。
【００１４】
本発明の請求項３に係る透過型砂防堰堤が採用した手段は、請求項２に記載の透過型砂防堰堤において、前記斜め支持部が、前記堰堤下流側の下方から斜めに配列された複数の斜め方向柱状部材からなり、最外部の斜め方向柱状部材の上面側に保護部材を備えてなることを特徴とするものである。
【００１５】
本発明の請求項４に係る透過型砂防堰堤が採用した手段は、請求項１乃至３の何れか一つの項に記載の透過型砂防堰堤において、前記上部堰堤本体部と前記下部堰堤本体部とが連結されてなることを特徴とするものである。
【発明の効果】
【００１６】
本発明の請求項１に係る透過型砂防堰堤によれば、金属製材料からなる複数の柱状部材を互いに縦横方向に交差されてなる金属製砂防堰堤本体部と、土砂流等による外力がこの金属製砂防堰堤本体部に付加された場合に、当該外力を受け止めるための金属製砂防堰堤の支持用基礎部とを有してなる透過型砂防堰堤であって、前記金属製砂防堰堤本体部は、上下に二つに分離された上部堰堤本体部と下部堰堤本体部とで構成されると共に、前記支持用基礎部は、前記上部堰堤本体部を支持する両側の袖部と、前記下部堰堤本体部を支持する底部とを有し、前記上部堰堤本体部を構成する複数の柱状部材のうち、少なくとも両端の縦方向の柱状部材が前記袖部で固定支持される一方、前記下部堰堤本体部を構成する複数の柱状部材のうち、少なくとも縦方向の柱状部材の下端部が前記底部に固定支持されてなる。
【００１７】
その結果、土砂流等による外力が前記砂防堰堤本体部に付加された場合、外力の伝達経路が、前記上部堰堤本体部を支持する両側の袖部と、前記下部堰堤本体部を支持する底部とに分散可能なため、土砂流等により多大な外力が生じる大規模な透過型砂防堰堤にも適用できる。また、施工性が良好で、複数年に亘る施工も可能である。
【００１８】
また、本発明の請求項２に係る透過型砂防堰堤によれば、前記下部堰堤本体部が、前記堰堤下流側の斜め下方から支持された斜め支持部を有し、この斜め支持部の上端部が、前記下部堰堤本体部を構成する堰堤下流側の縦方向の柱状部材に接合される一方、その下端部が、前記支持用基礎部に固定支持されてなるので、より大きな外力にも対抗可能な透過型砂防堰堤を実現できる。
【００１９】
更に、本発明の請求項３に係る透過型砂防堰堤によれば、前記斜め支持部が、前記堰堤下流側の下方から斜めに配列された複数の斜め方向柱状部材からなり、最外部の斜め方向柱状部材の上面側に保護部材を備えてなるので、前記金属製砂防堰堤本体部の天端から落下する礫による斜め方向柱状部材の損傷を防止することができる。
【００２０】
また更に、本発明の請求項４に係る透過型砂防堰堤によれば、前記上部堰堤本体部と前記下部堰堤本体部とが連結されてなるので、この堰堤によって捕捉されて堆積した巨礫群の高さが前記下部堰堤本体部の高さを越えなくとも、前記金属製透過型砂防堰堤に負荷される土砂流等による外力は、下部堰堤本体部のみならず上部堰堤本体部にも伝達されるので、結果的には支持基礎部の前記底部と袖部によって、より効果的に分散支持される。
【図面の簡単な説明】
【００２１】
【図１】本発明の実施の形態１に係る透過型砂防堰堤の金属製砂防堰堤本体部を渓流の下流側から正面視した立断面図である。
【図２】斜め支持部を含めて図１をＡ−Ａ矢視した矢視図である。
【図３】斜め支持部を含めて図１を平面視した平面図である。
【図４】本発明の実施の形態２に係る透過型砂防堰堤の金属製砂防堰堤本体部を渓流の下流側から正面視した立断面図である。
【図５】斜め支持部を含めて図４をＢ−Ｂ矢視した矢視図である。
【図６】斜め支持部を含めて図４を平面視した平面図である。
【図７】本発明の実施の形態３に係る透過型砂防堰堤の金属製砂防堰堤本体部を渓流の下流側から正面視した立断面図である。
【図８】斜め支持部を含めて図７をＣ−Ｃ矢視した矢視図である。
【図９】斜め支持部を含めて図７を平面視した平面図である。
【図１０】従来例の透過型砂防堰堤に係り、図（ａ）はその側面図、図（ｂ）は河川下流側からみたその正面図である。
【図１１】他の従来例に係り、土石流防護ネットの実施例の正面図である。
【発明を実施するための形態】
【００２２】
本発明の実施の形態１に係る透過型砂防堰堤を、以下添付図１〜３を参照しながら説明する。図１は本発明の実施の形態１に係る透過型砂防堰堤の金属製砂防堰堤本体部を渓流の下流側から正面視した立断面図、図２は斜め支持部を含めて図１をＡ−Ａ矢視した矢視図、図３は斜め支持部を含めて図１を平面視した平面図である。
【００２３】
本発明の実施の形態１に係る透過型砂防堰堤は、金属製砂防堰堤本体部２と後述する金属製砂防堰堤１を支持する支持用基礎部４とを有してなる透過型砂防堰堤である。そして、前記金属製砂防堰堤本体部２は、鋼管等の金属製材料からなる複数の縦方向柱状部材５と横方向柱状部材６とを、互いに縦横方向に交差して接合された構造を有している。
【００２４】
また、前記支持用基礎部４は、土砂流等による外力が金属製砂防堰堤１に付加された場合に当該外力を受け止めるため、金属製砂防堰堤１を固定支持するコンクリート構造物であって、通常渓流や河川の岩盤個所に流れに対して横断状に施工されている。そして、本発明の実施の形態１に係る金属製砂防堰堤１は、金属製砂防堰堤本体部２と後述する斜め支持部３から構成されている。
【００２５】
更に、前記金属製砂防堰堤本体部２は、上下方向に二つに分離された上部堰堤本体部２ａと下部堰堤本体部２ｂとで構成されている。一方、前記支持用基礎部４は、上部堰堤本体部２ａを、渓流開口部において両側から支持する袖部４ａ，４ａと、下部堰堤本体部２ｂの下端を支持する底部４ｂとを有している。
【００２６】
また更に、上部堰堤本体部２ａを構成する複数の柱状部材、即ち縦方向柱状部材５及び横方向柱状部材６のうち、少なくとも両端の縦方向柱状部材５ａ，５ａが前記袖部４ａ，４ａで夫々固定支持される一方、下部堰堤本体部２ｂを構成する複数の前記柱状部材５，６のうち、少なくとも縦方向柱状部材５の下端部５ｂが支持用基礎部４の底部４ｂに固定支持されている。
【００２７】
ここで、上部堰堤本体部２ａが袖部４ａ，４ａに夫々固定支持される部位は、両端の縦方向柱状部材５ａ，５ａのみに限定されるものではなく、例えば同時に、上部堰堤本体部２ａを構成する横方向柱状部材６の何れか何本かが、両端の縦方向柱状部材５ａ，５ａから突設して袖部４ａ，４ａに夫々固定支持されても良い。また、下部堰堤本体部２ｂが底部４ｂ，４ｂに夫々固定支持される部位は、縦方向柱状部材５の下端部５ｂのみに限定されるものではなく、例えば同時に、下部堰堤本体部２ｂを構成する横方向柱状部材６の何れか何本かが、両端の縦方向柱状部材５，５から突設して袖部４ａ，４ａに夫々固定支持されても良い。
【００２８】
そして、複数の縦方向柱状部材５と横方向柱状部材６とを、互いに縦横方向に交差して形成された金属製砂防堰堤本体部２の格子状升目は、次に述べる様に一様ではない。即ち、上部堰堤本体部２ａにおいては、複数の縦方向柱状部材５と横方向柱状部材６とによって、縦横方向夫々の純間隔ｗ、即ち、隣接する縦方向柱状部材５，５間または横方向柱状部材６，６間の内側寸法は、巨礫の直径ｄmax以下になる様に配列されて、小格子升目７が形成されている。
【００２９】
下部堰堤本体部２ｂにおいては、最下段の横方向柱状部材６ａは、底部４ｂから巨礫の直径ｄmaxの１〜２倍の高さ位置に横架され、縦方向柱状部材５と最下段の横方向柱状部材６ａとによって大格子升目８が形成されている。また、最下段の横方向柱状部材６ａの上側には、上部堰堤本体部２ａと同様に、純間隔ｗが巨礫の直径ｄmax以下になる様に複数の横方向柱状部材６が横架されて、大格子升目８より小さい小格子升目７が形成されている。
【００３０】
その結果、本発明の実施の形態１に係る透過型砂防堰堤は、土砂流等による外力が前記砂防堰堤本体部２の全体に付加された場合、外力の伝達経路が、前記上部堰堤本体部２ａを支持する両側の袖部４ａと、前記下部堰堤本体部２ｂを支持する底部４ｂとに分散可能なため、大きな外力にも対抗できる。また、施工性が良好で、複数年に亘る施工も可能である。
【００３１】
尚、金属製砂防堰堤本体部２を構成する縦方向柱状部材５や横方向柱状部材６は、丸鋼管や角鋼管等の閉断面を有する鋼管が好ましいが、Ｈ型鋼やＬ型鋼等の型鋼を用いることも可能である。
【００３２】
更に、本発明の実施の形態１に係る透過型砂防堰堤は、下部堰堤本体部２ｂが、前記堰堤下流側の斜め下方から支持された斜め支持部３を有している。そして、この斜め支持部３は、鋼管等の金属製材料からなる複数の斜め方向柱状部材９から構成され、その上端部９ａが、下部堰堤本体部２ｂを構成する堰堤下流側の縦方向柱状部材５に接合される一方、その下端部９ｂが、支持用基礎部４ｂに固定支持されている。そのため、より大きな外力にも対抗可能となる。尚、前記斜め支持部３は、複数の斜め方向柱状部材９に限らず、渓流の流れに平行な複数の板状部材等から形成されても良い。
【００３３】
次に、この様な構成に係る透過型砂防堰堤の作用について述べる。先ず、中小規模の洪水の場合は、下部堰堤本体部２ｂの最下段に形成された大格子升目８を通過して、災害を及ぼさない程度の大きさの礫や泥水が下流に流れる。
【００３４】
一方、土石流発生時は、土石流先頭の巨礫群が、大格子升目８において縦配列された複数の縦方向柱状部材５で捕捉され、下部堰堤本体部２ｂの上流側に堆積する。その後、礫混じりの泥水からなる後続流が流下して来るが、捕捉されて堆積した巨礫群の高さが巨礫の直径ｄmaxの１〜２倍になると、後続流中の巨礫が、純間隔ｗが巨礫の直径ｄmax以下になる様に横架された横方向柱状部材６で捕捉される。この場合、捕捉されて堆積した巨礫群の高さが下部堰堤本体部２ｂの高さを越えない限り、金属製透過型砂防堰堤１に付加される土砂流等による外力は、下部堰堤本体部２ｂのみに作用するので、結果的には支持基礎部４の底部４ｂによって支持される。
【００３５】
更に、縦方向柱状部材５と横方向柱状部材６とによる格子升目で絡み合う様に捕捉された巨礫群の上を、礫混じりの泥水である後続流が通過すると共に、透過型砂防堰堤を高速で通過するので、この後続流によって巨礫群の絡みが破壊される場合がある。しかしながら、この様な場合でも、本発明に係る透過型砂防堰堤は、上部堰堤本体部２ａ及び下部堰堤本体部２ｂの横方向柱状部材６の純間隔ｗは、巨礫の直径ｄmax以下になる様に配列されると共に、下部堰堤本体部２ｂの最下段以外は小格子升目７が形成されているので、捕捉された巨礫群が崩れて捕捉されている土砂等が再流出することがない。
【００３６】
そして更に、この透過型砂防堰堤に捕捉されて堆積した礫群の高さが下部堰堤本体部２ｂの高さを越えると、金属製砂防堰堤本体部２に付加される土砂流等による外力は、下部堰堤本体部２ｂのみならず上部堰堤本体部２ａにも作用するので、結果的には支持基礎部４の底部４ｂ及び袖部４ａに伝達して分散支持される。
【００３７】
尚、前記巨礫の直径ｄmaxとしては、砂防堰堤設置予定地点より上流の渓床及びダムサイト下流夫々２００ｍの間の渓床堆積物を踏査し、約２００個以上の巨礫の頻度分布を調べた累加曲線の９５％程度の直径とされる。
【００３８】
次に、本発明の実施の形態２に係る透過型砂防堰堤について、以下添付図４〜６を参照しながら説明する。図４は本発明の実施の形態２に係る透過型砂防堰堤の金属製砂防堰堤本体部を渓流の下流側から正面視した立断面図、図５は斜め支持部を含めて図４をＢ−Ｂ矢視した矢視図、図６は斜め支持部を含めて図４を平面視した平面図である。
但し、本発明の実施の形態２が上記実施の形態１と相違するところは、斜め支持部に対する保護部材の有無に相違があり、これ以外は上記実施の形態１と全く同構成であるから、上記実施の形態１と同一のものに同一符号を付して、その相違する点について説明する。
【００３９】
即ち、上記実施の形態１に係る透過型砂防堰堤は、金属製砂防堰堤本体部２を構成する下部堰堤本体部２ｂが、保護部材が取り付けられていない斜め支持部３を有していたのに対し、本実施の形態２に係る透過型砂防堰堤は、下部堰堤本体部２ｂを支持する斜め支持部３には保護部材１０が取り付けられている。即ち、最外部の斜め方向柱状部材９の上面側に、土石流を透過させ得る透過性の保護部材１０が取り付けられている。この様な保護部材１０としては、型鋼、鋼管、鉄筋、鋼製ロープ或いは鋼製ネット等を用いて透過的に形成可能である。
【００４０】
この様な透過型砂防堰堤に捕捉されて堆積した礫群の高さが、上部堰堤本体部２ａの天端を越えたとしても、最外部の斜め方向柱状部材９の上面側に取り付けられた保護部材１０によって、上部堰堤本体部２ａの天端からの落石による斜め方向柱状部材９の損傷が防止される。
【００４１】
次に、本発明の実施の形態３に係る透過型砂防堰堤について、以下添付図７〜９を参照しながら説明する。図７は本発明の実施の形態３に係る透過型砂防堰堤の金属製砂防堰堤本体部を渓流の下流側から正面視した立断面図、図８は斜め支持部を含めて図７をＣ−Ｃ矢視した矢視図、図９は斜め支持部を含めて図７を平面視した平面図である。
但し、本発明の実施の形態３が上記実施の形態１と相違するところは、上部堰堤本体部と下部堰堤本体部の連結有無に相違があり、これ以外は上記実施の形態１と全く同構成であるから、上記実施の形態１と同一のものに同一符号を付して、その相違する点について説明する。
【００４２】
即ち、上記実施の形態１に係る透過型砂防堰堤は、前記金属製砂防堰堤本体部２が、上下に少なくとも二つに分離された上部堰堤本体部２ａと下部堰堤本体部２ｂとで構成されていたのに対し、本実施の形態３に係る透過型砂防堰堤は、金属製砂防堰堤本体部２が、上部堰堤本体部２ａの下端と下部堰堤本体部２ｂの上端とが連結して構成されている。
【００４３】
その結果、本発明の実施の形態３に係る透過型砂防堰堤によれば、この堰堤によって捕捉されて堆積した巨礫群の高さが下部堰堤本体部２ｂの高さを越えなくとも、金属製砂防堰堤本体部２に付加される土砂流等による外力は、下部堰堤本体部２ｂのみならず上部堰堤本体部２ａにも伝達されるので、結果的には支持基礎部４の底部４ｂと袖部４ａによって分散支持されることになる。従って、本発明の実施の形態２に係る透過型砂防堰堤によれば、金属製砂防堰堤１に付加される土砂流等による外力を、より効果的に分散させることができる。
【００４４】
尚、この透過型砂防堰堤に捕捉されて堆積した礫群の高さが上部堰堤本体部２ａの天端を越えると、天端から落下する礫で下流側の斜め方向柱状部材９が損傷を被ることになるため、前記実施の形態２に係る透過型砂防堰堤と同様、前記斜め方向柱状部材９の上面側には、透過性の保護部材１０を取り付けることもできる。
【００４５】
以上説明した通り、本発明に係る透過型砂防堰堤によれば、金属製材料からなる金属製砂防堰堤本体部とこの金属製砂防堰堤の支持用基礎部とを有してなる透過型砂防堰堤であって、前記金属製砂防堰堤本体部は、上下に二つに分離された上部堰堤本体部と下部堰堤本体部とで構成されると共に、前記支持用基礎部は、前記上部堰堤本体部を支持する両側の袖部と前記下部堰堤本体部を支持する底部とを有し、前記上部堰堤本体部を構成する複数の柱状部材のうち、少なくとも両端の縦方向の柱状部材が前記袖部で固定支持される一方、前記下部堰堤本体部を構成する複数の柱状部材のうち、少なくとも縦方向の柱状部材の下端部が前記底部に固定支持されてなるものである。
【００４６】
その結果、土砂流等による外力が金属製砂防堰堤本体部に付加された場合、外力の伝達経路が、前記上部堰堤本体部を支持する両側の袖部と、前記下部堰堤本体部を支持する底部とに分散可能なため、大規模な透過型砂防堰堤が実現できる。また、施工性が良好で、複数年に亘る施工も可能である。
【符号の説明】
【００４７】
ｗ：純間隔，
１：金属製砂防堰堤，
２：金属製砂防堰堤本体部，  ２ａ：上部堰堤本体部，  ２ｂ：下部堰堤本体部，
３：斜め支持部，
４：支持用基礎部，          ４ａ：袖部，            ４ｂ：底部，
５：縦方向柱状部材，        ５ａ：両端の縦方向柱状部材，    ５ｂ：下端部，
６：横方向柱状部材，        ６ａ：最下段の横方向柱状部材，
７：小格子升目，            ８：大格子升目，
９：斜め方向柱状部材，      ９ａ：上端部，          ９ｂ：下端部，
１０：保護部材
【図１】
2011214298.tif 000003
【図２】
2011214298.tif 000004
【図３】
2011214298.tif 000005
【図４】
2011214298.tif 000006
【図５】
2011214298.tif 000007
【図６】
2011214298.tif 000008
【図７】
2011214298.tif 000009
【図８】
2011214298.tif 000010
【図９】
2011214298.tif 000011
【図１０】
2011214298.tif 000012
【図１１】
2011214298.tif 000013